【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
入射した色光をそれぞれ変調する複数の反射型光変調装置と、
前記複数の反射型光変調装置にて変調された各色光がそれぞれ入射する複数の光入射面を有し、入射した各色光を合成する色合成光学装置と、
前記色合成光学装置における前記複数の光入射面に交差する交差端面に対向する位置に配設され、前記複数の反射型光変調装置に空気を送風するダクト部材と、を備え、
前記ダクト部材は、
各一端がそれぞれ連通し、各他端から前記複数の反射型光変調装置にそれぞれ空気を送風する複数の送風ダクト部を有するダクト本体と、
前記ダクト本体に空気を導入する導入ダクト部と、を備える
ことを特徴とするプロジェクター。
【請求項２】
請求項１に記載のプロジェクターにおいて、
前記複数の送風ダクト部は、前記色合成光学装置の前記複数の光入射面に交差する方向に沿って延出し、
前記導入ダクト部は、前記複数の送風ダクト部に交差する方向から前記ダクト本体に空気を導入する
ことを特徴とするプロジェクター。
【請求項３】
請求項２に記載のプロジェクターにおいて、
前記複数の送風ダクト部は、第１送風ダクト部、第２送風ダクト部及び第３送風ダクト部を含み、
前記第１送風ダクト部、前記第２送風ダクト部及び前記第３送風ダクト部は、前記導入ダクト部から導入される空気が１つの分岐位置から前記第１送風ダクト部、前記第２送風ダクト部及び前記第３送風ダクト部のそれぞれに分岐する位置に配置される
ことを特徴とするプロジェクター。
【請求項４】
請求項３に記載のプロジェクターにおいて、
前記導入ダクト部は、空気が前記ダクト本体に導入される導入位置が前記分岐位置と一致する位置に配置される
ことを特徴とするプロジェクター。
【請求項５】
請求項１または請求項２に記載のプロジェクターにおいて、
前記複数の送風ダクト部は、第１送風ダクト部、第２送風ダクト部及び第３送風ダクト部を含み、
前記第１送風ダクト部、前記第２送風ダクト部及び前記第３送風ダクト部は、前記導入ダクト部から導入される空気が前記第１送風ダクト部と前記第２送風ダクト部とに分岐し、前記第１送風ダクト部へ分岐された空気がさらに前記第３送風ダクト部に分岐する位置に配置される
ことを特徴とするプロジェクター。
【請求項６】
請求項１から請求項５のいずれかに記載のプロジェクターにおいて、
前記複数の送風ダクト部のうち少なくとも１つの送風ダクト部の前記他端には、内部の空気を外部に排出し、前記反射型光変調装置に空気を送風する第１排出部及び第２排出部が設けられ、
前記第１排出部及び前記第２排出部は、互いに異なる方向から前記反射型光変調装置に空気を送風する
ことを特徴とするプロジェクター。
【請求項７】
請求項６に記載のプロジェクターにおいて、
前記第１排出部は、前記反射型光変調装置において光が入射する側とは反対側の面に略直交する方向から前記反射型光変調装置に空気を送風し、
前記第２排出部は、前記反射型光変調装置において光が入射する側とは反対側の面に沿う方向から前記反射型光変調装置に空気を送風する
ことを特徴とするプロジェクター。
【手続補正２】
【補正対象書類名】明細書
【補正対象項目名】０００６
【補正方法】変更
【補正の内容】
【０００６】
本発明のプロジェクターは、入射した色光をそれぞれ変調する複数の反射型光変調装置と、前記複数の反射型光変調装置にて変調された各色光がそれぞれ入射する複数の光入射面を有し、入射した各色光を合成する色合成光学装置と、前記色合成光学装置における前記複数の光入射面に交差する交差端面に対向する位置に配設され、前記複数の反射型光変調装置に空気を送風するダクト部材と、を備え、前記ダクト部材は、各一端がそれぞれ連通し、各他端から前記複数の反射型光変調装置にそれぞれ空気を送風する複数の送風ダクト部を有するダクト本体と、前記ダクト本体に空気を導入する導入ダクト部と、を備えることを特徴とする。
【手続補正３】
【補正対象書類名】明細書
【補正対象項目名】０００８
【補正方法】変更
【補正の内容】
【０００８】
本発明のプロジェクターでは、前記複数の送風ダクト部は、前記色合成光学装置の前記複数の光入射面に交差する方向に沿って延出し、前記導入ダクト部は、前記複数の送風ダクト部に交差する方向から前記ダクト本体に空気を導入することが好ましい。
本発明では、複数の送風ダクト部及び導入ダクト部が上述したように形成されているので、導入ダクト部を介してダクト本体に導入された空気は、ダクト本体内面に衝突して複数の光入射面に交差する方向に沿って分散し、各送風ダクト部にバランス良く送り込まれる。このため、３つの反射型光変調装置をバランス良く冷却できる。
例えば、導入ダクト部として、複数の送風ダクト部に平行する方向からダクト本体に空気を導入する構成を採用した場合には、複数の送風ダクト部のうち特定の送風ダクト部に空気が送り込まれ易い。このため、各送風ダクト部にバランス良く空気を送り込むには、ダクト本体内部に各送風ダクト部への空気の流通量を制御するためのリブ等を設ける必要がある。
これに対して、本願発明では、上述した構成により各送風ダクト部にバランス良く空気を送り込んでいるため、ダクト本体内部に各送風ダクト部への空気の流通量を制御する構成を設ける必要がなく、ダクト本体の構造の簡素化が図れる。
【手続補正４】
【補正対象書類名】明細書
【補正対象項目名】０００９
【補正方法】変更
【補正の内容】
【０００９】
本発明のプロジェクターでは、前記複数の送風ダクト部は、第１送風ダクト部、第２送風ダクト部及び第３送風ダクト部を含み、前記第１送風ダクト部、前記第２送風ダクト部及び前記第３送風ダクト部は、前記導入ダクト部から導入される空気が１つの分岐位置から前記第１送風ダクト部、前記第２送風ダクト部及び前記第３送風ダクト部のそれぞれに分岐する位置に配置されることが好ましい。
本発明のプロジェクターでは、前記導入ダクト部は、空気が前記ダクト本体に導入される導入位置が前記分岐位置と一致する位置に配置されることが好ましい。
なお、本発明のプロジェクターでは、前記送風ダクト部は、３つ設けられ、前記ダクト本体は、空気の導入位置から前記３つの送風ダクト部のうちいずれかの送風ダクト部に向けて直線状に延びる第１流路を有し、前記３つの送風ダクト部のうち他の２つの送風ダクト部は、前記第１流路における流路方向の同一位置で前記第１流路にそれぞれ連通し、前記導入ダクト部は、前記導入位置が前記他の２つの送風ダクト部における前記第１流路への連通位置に略一致するように形成されていてもよい。
【手続補正５】
【補正対象書類名】明細書
【補正対象項目名】００１１
【補正方法】変更
【補正の内容】
【００１１】
上記構成では、前記他の２つの送風ダクト部を、導入位置に略一致する位置で、かつ、第１流路における流路方向の同一位置で第１流路にそれぞれ連通するように構成している。
このことにより、ダクト本体内部を流通する空気は、ダクト本体内面に衝突して交差端面に平行する平面に沿って分散し、特定の送風ダクト部に多くの量が送り込まれることなく、３つの送風ダクト部にバランス良く送り込まれることとなる。このため、３つの反射型光変調装置をバランス良く冷却できる。
【手続補正６】
【補正対象書類名】明細書
【補正対象項目名】００１２
【補正方法】変更
【補正の内容】
【００１２】
本発明のプロジェクターでは、前記複数の送風ダクト部は、第１送風ダクト部、第２送風ダクト部及び第３送風ダクト部を含み、前記第１送風ダクト部、前記第２送風ダクト部及び前記第３送風ダクト部は、前記導入ダクト部から導入される空気が前記第１送風ダクト部と前記第２送風ダクト部とに分岐し、前記第１送風ダクト部へ分岐された空気がさらに前記第３送風ダクト部に分岐する位置に配置されることが好ましい。
なお、本発明のプロジェクターでは、前記送風ダクト部は、３つ設けられ、前記ダクト本体は、空気の導入位置から前記３つの送風ダクト部のうちいずれかの送風ダクト部に向けて直線状に延びる第１流路を有し、前記３つの送風ダクト部のうち他の２つの送風ダクト部は、前記第１流路における流路方向の異なる位置で前記第１流路にそれぞれ連通していてもよい。
【手続補正７】
【補正対象書類名】明細書
【補正対象項目名】００１３
【補正方法】変更
【補正の内容】
【００１３】
上記構成では、前記他の２つの送風ダクト部を、第１流路における流路方向の異なる位置で第１流路にそれぞれ連通するように構成している。
このことにより、導入ダクト部を介してダクト本体内部に導入され、第１流路に沿って流通した空気は、前記他の２つの送風ダクト部に主に送り込まれることがなく、３つの送風ダクト部に順にバランス良く送り込まれることとなる。このため、３つの反射型光変調装置をバランス良く冷却できる。
【手続補正８】
【補正対象書類名】明細書
【補正対象項目名】００１４
【補正方法】変更
【補正の内容】
【００１４】
本発明のプロジェクターでは、前記複数の送風ダクト部のうち少なくとも１つの送風ダクト部の前記他端には、内部の空気を外部に排出し、前記反射型光変調装置に空気を送風する第１排出部及び第２排出部が設けられ、前記第１排出部及び前記第２排出部は、互いに異なる方向から前記反射型光変調装置に空気を送風することが好ましい。
【手続補正９】
【補正対象書類名】明細書
【補正対象項目名】００１５
【補正方法】変更
【補正の内容】
【００１５】
本発明では、少なくとも１つの送風ダクト部の他端には、上述した第１排出部及び第２排出部が設けられている。
このことにより、例えば１つのみの排出部が形成され１方向からのみ反射型光変調装置に空気が送風される構成と比較して、反射型光変調装置の全体に満遍なく空気を送風することができ、反射型光変調装置の冷却効率を向上できる。
【手続補正１０】
【補正対象書類名】明細書
【補正対象項目名】００１６
【補正方法】変更
【補正の内容】
【００１６】
本発明のプロジェクターでは、前記第１排出部は、前記反射型光変調装置において光が入射する側とは反対側の面に略直交する方向から前記反射型光変調装置に空気を送風し、前記第２排出部は、前記反射型光変調装置において光が入射する側とは反対側の面に沿う方向から前記反射型光変調装置に空気を送風することが好ましい。
このことにより、反射型光変調装置において光が入射する側とは反対側の面に沿う方向から空気を送風する第２排出部と、反射型光変調装置において光が入射する側とは反対側の面に略直交する方向から空気を送風する第１排出部とにより、反射型光変調装置において光が入射する側とは反対側の面に衝突する空気の量を多くすることができ、反射型光変調装置を効果的に冷却できる。